(57)【要約】【課題】干し物の一部にクリップの一部を食い込ませることなく、干し物に取り付け可能な吊り下げ用クリップの提供。【解決手段】干し物Ｄの主部Ｄａから突き出す第一部分Ｄｃと、前記第一部分Ｄｃの突き出し端に中間部を一体化させて前記第一部分Ｄｃに対し交叉するように配される第二部分Ｄｄとからなる付け足り部Ｄｂとを備えた前記干し物Ｄの吊り下げ用クリップＣである。紐状体Ｓに対する取付部１と、二以上の脚体８、８からなり、各脚体８をそれぞれ実質的にＵ字状をなすと共に一端８ａを前記取付部１に一体化させ前記一端８ａの前側に他端８ｂを位置させたものとしてなる、前記付け足り部Ｄｂに対する保持部２とを備えている。前記保持部２を構成する隣り合う脚体８、８間の間隔を前記第二部分Ｄｄの長さより小さくさせてなる。【選択図】図８
2017223320.tif 000002
【特許請求の範囲】
【請求項１】
干し物の主部から突き出す第一部分と、前記第一部分の突き出し端に中間部を一体化させて前記第一部分に対し交叉するように配される第二部分とからなる付け足り部とを備えた前記干し物の吊り下げ用クリップであって、
紐状体に対する取付部と、
二以上の脚体からなり、各脚体をそれぞれ実質的にＵ字状をなすと共に一端を前記取付部に一体化させ前記一端の前側に他端を位置させたものとしてなる、前記付け足り部に対する保持部とを備えており、
前記保持部を構成する隣り合う脚体間の間隔を前記第二部分の長さより小さくさせてなる、干し物の吊り下げ用クリップ。
【請求項２】
前記脚体を、弾性変形可能に構成させてなる、請求項１に記載の干し物の吊り下げ用クリップ。
【請求項３】
前記保持部を構成する隣り合う脚体間の間隔を前記第一部分の太さよりも大きくさせてなる、請求項１又は請求項２に記載の干し物の吊り下げ用クリップ。
【請求項４】
前記脚体の他端と前記Ｕ字の底部となる部分との間に、隣り合う前記脚体との間の間隔を減少させる張り出し部を形成させてなる、請求項１〜請求項３のいずれか１項に記載の干し物の吊り下げ用クリップ。
【請求項５】
前記脚体の前記他端側を、隣り合う前記脚体との間の間隔を前記他端に近づくに連れて漸増させるように形成させてなる、請求項１〜請求項４のいずれか１項に記載の干し物の吊り下げ用クリップ。
【発明の詳細な説明】
【技術分野】
【０００１】
この発明は、紐状体に吊されて干される干し物のこの紐状体への取り付けを容易とするクリップの改良に関する。
【背景技術】
【０００２】
側面視の状態においてＬ字状をなし、縦向き部分（誘導口フレーム）の上端に紐はさみ部を、横向き部分（Ｖ字溝フレーム）に干し柿の柄（軸）を受け入れてこれに食いつくＶ字溝を備えてなるクリップとして、特許文献１に示されるものがある。
【先行技術文献】
【特許文献】
【０００３】
【特許文献１】特開２００２−１９９８５５号公報
【発明の概要】
【発明が解決しようとする課題】
【０００４】
この発明が解決しようとする主たる問題点は、干し物の一部にクリップの一部を食い込ませることなく、干し物に取り付け可能な吊り下げ用クリップを提供する点にある。
【課題を解決するための手段】
【０００５】
前記課題を達成するために、この発明にあっては、干し物の吊り下げ用クリップを、干し物の主部から突き出す第一部分と、前記第一部分の突き出し端に中間部を一体化させて前記第一部分に対し交叉するように配される第二部分とからなる付け足り部とを備えた前記干し物の吊り下げ用クリップであって、
紐状体に対する取付部と、
二以上の脚体からなり、各脚体をそれぞれ実質的にＵ字状をなすと共に一端を前記取付部に一体化させ前記一端の前側に他端を位置させたものとしてなる、前記付け足り部に対する保持部とを備えており、
前記保持部を構成する隣り合う腕体間の間隔を前記第二部分の長さより小さくさせてなる、ものとした。
【０００６】
干し物の付け足り部の第一部分を隣り合う脚体間に入り込ませるようにクリップを横向きに移動又は相対的に移動操作した後、前記付け足り部の第二部分を回動中心とするようにクリップを回動又は相対的に回動操作すると、前記取付部を保持部の上方に位置させるようにした状態で前記第二部分に前記脚体、つまり、前記保持部を引っかけることができる。これにより、前記付け足り部を備えた干し物にクリップを容易且つ確実に取り付けることができる。クリップは、クリップを干し物の主部に接触させることなく、干し物に取り付け可能であり、また、クリップは干し物の付け足り部の第一部分にも接しないことから、この第一部分を傷つけたり、付け足り部が主部から剥がれてしまうような事態を可及的に防止することができる。
【０００７】
前記脚体を、弾性変形可能に構成させてなるものとすることが、この発明の好ましい実施の形態の一つとされる。
また、前記保持部を構成する隣り合う脚体間の間隔を、前記第一部分の太さよりも大きくさせておくこおくことが、この発明の好ましい実施の形態の一つとされる。
【０００８】
また、前記脚体の他端と前記Ｕ字の底部となる部分との間に、隣り合う前記脚体との間の間隔を減少させる張り出し部を形成させておくことが、この発明の好ましい実施の形態の一つとされる。
【０００９】
また、前記脚体の前記他端側を、隣り合う前記脚体との間の間隔を前記他端に近づくに連れて漸増させるように形成させておくことが、この発明の好ましい実施の形態の一つとされる。
【発明の効果】
【００１０】
この発明によれば、干し物の一部にクリップの一部を食い込ませることなく、干し物に吊り下げ用クリップを取り付けることができる。
【図面の簡単な説明】
【００１１】
【図１】図１は、この発明の一実施の形態にかかる干し物の吊り下げ用クリップの斜視図である。
【図２】図２は、前記クリップの正面図であり、干し物の付け足り部を想像線で表している。
【図３】図３は、前記クリップの背面図である。
【図４】図４は、前記クリップの側面図である。
【図５】図５は、前記クリップの底面図である。
【図６】図６は、干し物に前記クリップを取り付ける過程を示した斜視図である。
【図７】図７は、干し物に前記クリップを取り付ける過程を示した斜視図である。
【図８】図８は、前記クリップを介して紐状体に干し物を吊り下げた様子を示した斜視図である。
【発明を実施するための形態】
【００１２】
以下、図１〜図８に基づいて、この発明の典型的な実施の形態について、説明する。この実施の形態にかかる干し物Ｄの吊し用クリップＣは、紐状体Ｓに吊されて干される干し物Ｄのこの紐状体Ｓへの取り付けを容易とするものである。
【００１３】
干し物Ｄとしては、乾燥が必要とされる各種の物が予定される。
【００１４】
この実施の形態にかかるクリップＣは、干し物Ｄの主部Ｄａから突き出す第一部分Ｄｃと、前記第一部分Ｄｃの突き出し端に中間部を一体化させて前記第一部分Ｄｃに対し交叉するように配される第二部分Ｄｄとからなる付け足り部Ｄｂとを備えた前記干し物Ｄの吊り下げに用いられるものである。
【００１５】
図示の例にかかるクリップＣは、採取された柿などの果実に残された前記第二部分Ｄｄとしての枝及び前記第一部分Ｄｃとしての柄よりなる付け足り部Ｄｂを保持することができる保持部２を有しており、こうした果実を干し柿などの乾燥果物にするためにこうした果実を紐状体Ｓに取り付ける用途に用いられるのに適した構造を備えている。
【００１６】
前記クリップＣは、紐状体Ｓに対する取付部１と、
二以上の脚体８からなり、各脚体８をそれぞれ実質的にＵ字状をなすと共に一端８ａを前記取付部１に一体化させ前記一端８ａの前側に他端８ｂを位置させたものとしてなる、前記付け足り部Ｄｂに対する保持部２とを備えている。
【００１７】
図示の例では、クリップＣは、上側を取付部１とし、下側を保持部２とした構成となっている。
【００１８】
取付部１は、フック端部３を下方に向けたフック状を呈している。すなわち、取付部１は、フック端部３と、これとの間に紐状体Ｓの導入路６を形成させる首部４と、フック端部３と首部４との間に亘る湾曲部５とを備えている。
【００１９】
フック端部３の導入路６側、及び、首部４の導入路６側にはそれぞれ、隆起部７が形成されており、この隆起部７により、導入路６は入り口６ａ側から導入路６の中間位置６ｂに向けて導入路６の幅を漸減させると共に、この中間位置６ｂから導入路６の内奥部６ｃに向けて導入路６の幅を漸増させるようになっている。隆起部７は、突き出し端を尖らせており、導入される紐状体Ｓに食い込むようになっている。
【００２０】
後述のように、干し物Ｄの付け足り部Ｄｂを保持部２に保持させた状態から、横方向に張られた紐状体Ｓを導入路６内に下方から受け入れるようにして紐状体ＳにクリップＣの取り付けられた干し物Ｄを引っかけるようにすると、紐状体Ｓは導入路６を弾性的に押し広げるようにして導入路６の中間位置まで入り込む。紐状体Ｓが導入路６の内奥部６ｃに至ると導入路６側、つまり、取付部１側が弾性復帰し、導入路６の内奥部６ｃに紐状体Ｓが保持され、これにより、クリップＣを介して紐状体Ｓに安定的干し物Ｄが吊り下げられるようになっている（図８参照）。
【００２１】
図示の例では、前記内奥部６ｃは、横方向に沿った直線状の縁部６ｄを持つように構成されており、前記隆起部７との間で導入された紐状体Ｓを挟持するようになっている。
【００２２】
なお、図示は省略するが、前記紐状体ＳをクリップＣを成形する金型のインサート物として紐状体ＳにクリップＣの上部側を取り付けさせるようにしても良い。
【００２３】
一方、図示の例では、保持部２は、二つの脚体８、８から構成されている。各脚体８は、弾性変形可能な構成となっている。クリップＣを、プラスチック成形品とすることで、かかる弾性変形特性を前記脚体８に容易且つ適切に付与できる。
【００２４】
二つの脚体８、８はそれぞれ、上下方向に沿った第一棒状部９と、上下方向に沿った第二棒状部１０と、第一棒状部９の下端９ｂと第二棒状部１０の下端１０ａとの間に亘る第三棒状部１１とを備えている。
【００２５】
一方の脚体８の第一棒状部９に対し他方の脚体８の第一棒状部９は平行をなすように配されている。また、一方の脚体８の第一棒状部９の上端９ａと他方の脚体８の第一棒状部９の上端９ａ間、及び、一方の脚体８の第一棒状部９の下端９ｂと他方の脚体８の第一棒状部９の下端９ｂ間にはそれぞれ、架設部１２が形成されている。上下の架設部１２、１２と、左右の第一棒状部９、９とにより、枠状部１３が形成されている。この枠状部１３における上側の架設部１２と一方の脚体８の第一棒状部９の上端９ａとの連接箇所において、前記取付部１の首部４の根元が一体化されており、これにより、取付部１と保持部２とが一体化されている。取付部１と、枠状部１３とは、仮想の一つの平面Ｍ（図４参照）上に実質的に位置されるように形成されている。
【００２６】
第三棒状部１１は、第一棒状部９の下端９ｂから前記仮想の一つの平面Ｍに実質的に直交する向きに突き出している。
【００２７】
第二棒状部１０は、第三棒状部１１の突き出し端に下端１０ａを一体化させて上方に向けて延びだしている。第二棒状部１０の上端１０ｂは、第一棒状部９の上端９ａの前側に位置されるが、第一棒状部９の上端９ａよりも下方に位置している。
【００２８】
また、前記保持部２を構成する隣り合う脚体８、８間の間隔は、前記付け足り部Ｄｂの第二部分Ｄｄの長さより小さくなっている。前記保持部２を構成する隣り合う脚体８、８間の間隔は、前記付け足り部Ｄｂの第一部分Ｄｃの太さよりも小さくても脚体８が弾性変形特性を有していれば後述のように干し物Ｄの付け足り部Ｄｂの第一部分Ｄｃを隣り合う脚体８、８間に入り込ませることは可能であるが、この実施の形態にあっては、前記保持部２を構成する隣り合う脚体８、８間の間隔は、後述の張り出し部１４の形成箇所以外の箇所においては前記付け足り部Ｄｂの第一部分Ｄｃの太さよりも大きくなっている。
【００２９】
干し物Ｄの付け足り部Ｄｂの第一部分Ｄｃを隣り合う脚体８、８間に入り込ませるようにクリップＣを横向きに移動又は相対的に移動操作した後（図６参照）、前記付け足り部Ｄｂの第二部分Ｄｄを回動中心とするようにクリップＣを回動又は相対的に回動操作すると（図７参照）、前記取付部１を保持部２の上方に位置させるようにした状態で前記第二部分Ｄｄに前記脚体８、つまり、前記保持部２を引っかけることができる（図８参照）。図示の例では、第二棒状部１０と下側の架設部１２との接し合う箇所は、下方を湾曲外側とするように湾曲しており、前記引っかけ操作にあたりこの箇所が干し物Ｄの主部Ｄａに接することがあっても前記主部Ｄａを傷つけることがないようになっている。これにより、前記付け足り部Ｄｂを備えた干し物ＤにクリップＣを容易且つ確実に取り付けることができる。クリップＣは、クリップＣを干し物Ｄの主部Ｄａに接触させることなく、干し物Ｄに取り付け可能であり、また、クリップＣは干し物Ｄの付け足り部Ｄｂの第一部分Ｄｃにも接しないことから、この第一部分Ｄｃを傷つけたり、付け足り部Ｄｂが主部Ｄａから剥がれてしまうような事態を可及的に防止することができる。
【００３０】
また、この実施の形態にあっては、前記脚体８の他端８ｂと前記Ｕ字の底部となる部分（図示の例では架設部１２）との間に、隣り合う前記脚体８、８との間の間隔を減少させる張り出し部１４が形成されている。
【００３１】
これにより、この実施の形態にあっては、前記付け足り部Ｄｂの第二部分Ｄｄを張り出し部１４に摺接させて隣り合う脚体８、８を両者の間の間隔を広げる向きに撓ませながら両者の間に導入可能とすると共に、導入後は両者間から付け足り部Ｄｂが予期せず抜け出す事態ができるだけ生じないようにしている。
【００３２】
また、この実施の形態にあっては、前記脚体８の前記他端８ｂ側を、隣り合う前記脚体８との間の間隔を前記他端８ｂに近づくに連れて漸増させるように形成させている。すなわち、前記脚体８の他端８ｂと前記張り出し部１４との間では、隣り合う前記脚体８、８との間の間隔を前記他端８ｂに近づくに連れて漸増させるようにしている。
【００３３】
これにより、この実施の形態にあっては、隣り合う脚体８、８間に前記付け足り部Ｄｂの第二部分Ｄｄを導入しやすくしている。
【００３４】
図示の例では、前記脚体８の第二棒状部１０は、その上端１０ｂ側において、外縁側屈曲部１０ｃを有している。前記他端８ｂとなる上端１０ｂは前記外縁側屈曲部１０ｃよりも外方に位置されており、上端１０ｂと外縁側屈曲部１０ｃとの間は外側傾斜縁１０ｄとなっている。また、前記脚体８の第二棒状部１０は、その上端１０ｂ側において、内縁側屈曲部１０ｅを有している。内縁側屈曲部１０ｅは外縁側屈曲部１０ｃより下方に位置している。内縁側屈曲部１０ｅと前記他端８ｂとなる上端１０ｂとの間に、頂部１４ａを持った前記張り出し部１４が形成されている。そして、この頂部１４ａと前記他端８ｂとなる上端１０ｂとの間に内側傾斜縁１０ｆが形成され、これにより、隣り合う前記脚体８、８間の間隔は前記他端に近づくに連れて漸増するようになっている（図２参照）。
【００３５】
なお、当然のことながら、本発明は以上に説明した実施形態に限定されるものではなく、本発明の目的を達成し得るすべての実施形態を含むものである。
【符号の説明】
【００３６】
Ｄ  干し物
Ｄａ  主部
Ｄｂ  付け足り部
Ｄｃ  第一部分
Ｄｄ  第二部分
Ｃ  クリップ
１  取付部
２  保持部
８  脚体
８ａ  一端
８ｂ  他端
【図１】
2017223320.tif 000003
【図２】
2017223320.tif 000004
【図３】
2017223320.tif 000005
【図４】
2017223320.tif 000006
【図５】
2017223320.tif 000007
【図６】
2017223320.tif 000008
【図７】
2017223320.tif 000009
【図８】
2017223320.tif 000010